(57)【特許請求の範囲】
【請求項１】
収容体の開口部にシール部材を介して密着する内蓋と、
前記内蓋に対して接近・離間する方向に移動可能であり、前記内蓋に対向するように連結された外蓋と、
を備え、
前記外蓋は、前記内蓋との間に前記離間する方向に付勢力を発揮する弾性部材が配置され、かつ、前記内蓋に対して相対的に回転自在とされており、
前記外蓋又は前記収容体のいずれか一方は、前記回転方向に平行な溝部を有し、いずれか他方は、前記内蓋を前記開口部に当て、前記外蓋を前記内蓋側に接近させた状態で回転させることで、前記溝部に挿入して係止されるようにした係止部を有しており、
前記係止部を前記溝部の内壁に接触させずに前記外蓋が回転可能なように、前記溝部の幅は、これに対応する前記係止部の幅に比べて大きく、
前記収容体は、風呂釜の壁面に略円形状の前記開口部を有するようにした電池収容部であって、その内壁には外部に臨む段部が形成されており、
前記外蓋は、前記段部に当接するようにして前記電池収容部に取り付けられ、さらに、前記取り付けられた状態における正面視が、シャワー器具の散水部の最大径に比べて大きい直径を有する略円形状である
ことを特徴とする収容体の封止構造。
【請求項２】
前記係止部は、前記外蓋の周側面に突出して形成された突出部と、この突出部から僅かに出た突起とからなり、
前記溝部は、前記収容体の開口部の内壁に形成され、
前記開口部の内壁には、前記突出部を前記溝部に完全に挿入した際に、前記突起と係合する係合部が形成されている
ことを特徴とする請求項１に記載の収容体の封止構造。
【請求項３】
前記壁面は略垂直であり、
前記溝部は、前記内壁に形成されると共に、浸入した水が溜まらないように侵入水を導く排水路を有し、
前記外蓋と前記内蓋との間には、浸入した水を前記内壁に落下させる落下路が設けられている
ことを特徴とする請求項１又は２に記載の収容体の封止構造。
【請求項４】
前記内蓋には乾燥剤が配置されていることを特徴とする請求項１ないし３のいずれかに記載の収容体の封止構造。
【発明の詳細な説明】
【技術分野】
【０００１】
本発明は、被対象物の出し入れが可能な収容容器ないし収容部の封止構造に関するものである。
【背景技術】
【０００２】
従来、薬瓶、食品保存用容器、電気製品収容部などの密封が必要な収容体については、蓋体を収容体に対してねじ回すことにより、収容体の開口部と蓋体との間にあるゴムパキッン等で密封している。
浴室内で浴槽に隣設されるバランス型風呂釜の電池収容部も、密封が必要な収容体の一例であり、図１２（ａ）は従来のバランス型風呂釜１の部分斜視図、図１２（ｂ）はその風呂釜１に設けられた電池収容部４に対して着脱可能な蓋体２を開けた図である。
【０００３】
この風呂釜１は、漏電等の危険を避けるために電池５で、表示部３や、図示しないイグナイタ、フレームロッドなどの電装品に駆動電流を供給している。そして、この電池５は交換が容易なように正面に開口した電池収容部４に収容され、この電池収容部４は水が侵入しないように蓋体２で封止されている。また、蓋体２と電池収容部４の開口部との間にゴムパッキン７を配置して密封し、さらに、この風呂釜１では庇部６を設けて、シャワーの水が蓋体２ないし電池収容部４にかからないようにされている。
【０００４】
具体的に、蓋体２はビス８で電池収容部４の開口部に止められているが、この際、使用者は、封止度を高めるために、ビス８を回しながらゴムパッキン７を圧縮する必要がある。このため、ビス８には回し易いようにローレット（切り込み）が設けられている。
なお、バランス型風呂釜１は比較的に狭い浴室に設置される場合が多く、使用者の臀部等の柔らかい体の部分がローレットのあるビス８に接触して傷となる場合があり、庇部６は、この体がビス８に接触することを防止する役割も果たしている。
【先行技術文献】
【特許文献】
【０００５】
【特許文献１】意匠登録第８３６５５３号公報
【発明の概要】
【発明が解決しようとする課題】
【０００６】
ところで、このような収容体の封止構造に関しては、ゴムパッキンが圧縮変形するように蓋体やビスをねじ回して、はじめて効果の高い密閉が可能となる。このため、蓋体やビスを回すためには相当な力が必要であり、中途半端な力で回した場合、封止度に支障が生じてしまう。また、力を入れて蓋体が閉まった場合、反対に蓋体を開ける際は、蓋体が開け難いことが多い。このようなことから、老人などの非力な者にとっての蓋体の開閉作業は困難なものになっていた。
なお、収容体の確実な封止を考慮すれば、図１３のような封止構造を採用することも考えられる。すなわち、図１３の蓋体２Ａは略円柱形状であり、その周側面の全周の窪みに、若干はみ出すようにＯリングシール９が収容されている。そして、取っ手５を使って、蓋体２Ａを電池収容部４の開口部に挿入したり、引き抜いたりする構造である。しかし、図１３の構造では、蓋体２Ａを引き抜く時に、電池収容部４の内部空間の負圧により非常に大きな力が必要であり、また、そのために大型の取っ手５を用いる必要もある。
【０００７】
本発明はこのような問題を解決するためのもので、収容体の封止を確実なものにすると共に、非力な者であっても容易に蓋体を開閉できる収容体の封止構造を提供することを目的とする。
【課題を解決するための手段】
【０００８】
上記目的は、請求項１の発明によれば、収容体の開口部にシール部材を介して密着する内蓋と、前記内蓋に対して接近・離間する方向に移動可能であり、前記内蓋に対向するように連結された外蓋と、を備え、前記外蓋は、前記内蓋との間に前記離間する方向に付勢力を発揮する弾性部材が配置され、かつ、前記内蓋に対して相対的に回転自在とされており、前記外蓋又は前記収容体のいずれか一方は、前記回転方向に平行な溝部を有し、いずれか他方は、前記内蓋を前記開口部に当て、前記外蓋を前記内蓋側に接近させた状態で前記回転させることで、前記溝部に挿入して係止されるようにした係止部を有しており、前記係止部を前記溝部の内壁に接触させずに前記外蓋が回転可能なように、前記溝部の幅は、これに対応する前記係止部の幅に比べて大きく、前記収容体は、風呂釜の壁面に略円形状の前記開口部を有するようにした電池収容部であって、その内壁には外部に臨む段部が形成されており、前記外蓋は、前記段部に当接するようにして前記電池収容部に取り付けられ、さらに、前記取り付けられた状態における正面視が、シャワー器具の散水部の最大径に比べて大きい直径を有する略円形状である収容体の封止構造により達成される。
【０００９】
請求項１の構成によれば、収容体の開口部にシール部材を介して密着する内蓋を有するため、内蓋で収容体を封止できる。
そして、内蓋に対して接近・離間する方向に移動可能であり、内蓋に対向するように連結される外蓋を有するが、この外蓋は、内蓋との間に、離間する方向に付勢力を発揮する弾性部材が配置されている。このため、外蓋を弾性部材の付勢力に抗しながら内蓋に接近させれば、弾性部材の付勢力により内蓋を収容体の開口部に押し付けることができ、これにより、収容体の封止度を高めることができる。
そして、弾性部材によって内蓋を収容体の開口部に押し付けた状態で、外蓋を収容体に取り付ければ、この高い封止度を維持することができる。
【００１０】
この点、請求項１の構成によれば、外蓋または収容体のいずれか一方には溝部が設けられると共に、いずれか他方には、溝部に係止される係止部が設けられているため、係止部と溝部とを係止させて、外蓋を収容体に取り付けることができる。
そして、この係止部は、内蓋を開口部に当て、外蓋を内蓋側に接近させた状態で回転させることで、溝部に係止されるが、この外蓋を内蓋側に接近させた状態では、弾性部材の付勢力が発揮されている。したがって、係止部を溝部に係止すれば、弾性部材の付勢力により、内蓋を開口部に押し付けることができる。
【００１１】
さらに、外蓋は内蓋に対して相対的に回転自在であり、溝部は外蓋の回転方向に平行である。このため、蓋体をねじ込んで収容体に螺着させるような力は必要とせず、すなわち、シール部材の回転方向に関する抵抗を受けずに外蓋を回転させて、溝部と係止部とを係止させ、容易に外蓋を収容体に取り付けることができる。
また、係止部を溝部に挿入させる場合と反対側に外蓋を回転させれば、係止部は溝部から外れ、係止部と溝部との係止状態は解除される。そうすると、使用者は弾性部材の付勢力を利用して外蓋、及びこれに連結された内蓋を容易に取り外すことができる。
しかも、溝部の幅は、これに対応する係止部の幅に比べて大きい。したがって、係止部と溝部との間で摩擦抵抗が生じないように外蓋を回転させることができ、係止部と溝部とを容易に係脱できる。なお、このように溝部の幅が係止部の幅より大きくても、外蓋から手を放せば、弾性部材の付勢力により、係止部は溝部の内壁に押し付けられて係止されるため、外蓋をガタつくことなく収容体に固定できる。
この際、前記係止部は、前記外蓋の周側面に突出して形成された突出部と、この突出部から僅かに出た突起とからなり、前記溝部は、前記収容体の開口部の内壁に形成され、前記開口部の内壁には、前記突出部を前記溝部に完全に挿入した際に、前記突起と係合する係合部が形成されていることが好ましい。
【００１３】
また、請求項１の構成によれば、収容体は風呂釜の壁面に開口部を有する電池収容部であって、その内壁には外部に臨む段部が設けられており、外蓋は段部に当接するようにして電池収容部に取り付けられている。このため、シャワーから散水された水が、もしも、外蓋の周縁と風呂釜の壁面との間の隙間から勢いよく侵入したとしても、一旦、段部にあたる。したがって、シャワーから散水された水がシール部材に直接当たることを回避できる。
なお、電池収容部の開口部は略円形状であり、外蓋も正面視が略円形状であるため、外蓋を段部に当接するように取り付けても、外蓋を回転させることができる。
さらに、外蓋の円形状の直径はシャワー器具の散水部の最大径に比べて大きい。このため、シャワーから散水された水が、外蓋の全周縁の隙間から直接入るようなことはない。すなわち、一部の隙間に勢いよく水が入ることはあっても、少なくとも全ての隙間から水が勢いよく入ることはない。したがって、シャワーの水が勢いよく侵入して、高い水圧がシール部材にかかるような状況を有効に回避できる。
【００１４】
請求項３の発明は、請求項１又は２の構成において、前記壁面は略垂直であり、前記溝部は、前記内壁に形成されると共に、浸入した水が溜まらないように侵入水を導く排水路を有し、前記外蓋と前記内蓋との間には、浸入した水を前記内壁に落下させる落下路が設けられていることを特徴とする。
請求項３の構成によれば、開口部のある壁面は略垂直であり、さらに、その開口部の内壁に溝部が形成され、その溝部には浸入水が溜まらないように排水路が設けられている。このため、開口部に浸入してきた水は外部に抜け易い。
さらに、外蓋と内蓋との間には、浸入した水を内壁に落下させる落下路が設けられているため、浸入してきた水を開口部内壁を介して、外部に抜くことができる。
換言すれば、これらの水抜き用の構成は「収容体の内側に高い水圧がかからない構成」である。したがって、請求項１の「外蓋の直径がシャワー器具の散水部の最大系に比べて大きい」という高い水圧がシール部材にかかることを回避するための構成と相まって、高い水圧がシール部材にかかる事態を確実に防止できる。
【００１５】
請求項４の発明は、請求項１ないし３のいずれかの構成において、前記内蓋には乾燥剤が配置されていることを特徴とする。従って、乾燥剤で収容体内の湿気を除去できる。
【発明の効果】
【００１６】
以上、本発明によれば、収容体の封止を確実なものにすると共に、非力な者であっても容易に蓋体を開閉できる収容体の封止構造を提供することができる。
【図面の簡単な説明】
【００１７】
【図１】本発明の第１の実施形態に係る風呂釜の概略斜視図。
【図２】図１の風呂釜の主な構成を示す系統図。
【図３】図１の蓋体を開けて電池収容部を正面斜めから視認した概略斜視図。
【図４】図１の蓋体の側面図。
【図５】外蓋に関する図であり、図５（ａ）は外蓋の背面図、図５（ｂ）は図５（ａ）のＢ−Ｂ断面図、図５（ｃ）は図５（ａ）のＥ方向の矢視図。
【図６】内蓋に関する図であり、図６（ａ）は内蓋の正面図、図６（ｂ）は図６（ａ）のＣ−Ｃ断面図。
【図７】蓋体を電池収容部に取り付けようとする説明図。
【図８】図１の概略Ａ−Ａ断面図。
【図９】図８のＦ−Ｆ部分の拡大図。
【図１０】本発明の第２の実施形態に係る収容体とその蓋体の概略縦断面図。
【図１１】本発明の第２の実施形態の変形例に係る収容体とその蓋体の概略縦断面図。
【図１２】従来のバランス型風呂釜であり、図１２（ａ）はその部分斜視図、図１２（ｂ）はその電池収容部に対して着脱可能な蓋体を開けた図。
【図１３】従来の収容体のその他の封止構造例。
【発明を実施するための形態】
【００１８】
以下に、本発明の好ましい実施形態を、図面を参照して詳しく説明する。なお、以下に説明する各図面において同一の符号が付されている箇所は共通する構成である。
また、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１９】
図１は本発明の第１の実施形態に係る収容体５０及びその蓋体６０を備える風呂釜１０の概略斜視図、図２は図１の風呂釜１０の主な構成を示す系統図である。
風呂釜１０は、浴室内に設置されるバランス式風呂釜１０であり、その側面ＳＩが循環金具１９を用いて浴槽に直接連結される。
本実施形態の風呂釜１０はシャワー器具３７が接続された複合式燃焼装置とされ、図２に示すように、風呂の追焚き用のバーナ４０と給湯用のバーナ４１を備えており、それぞれ風呂用の熱交換器４２と給湯用の熱交換器３４とを加熱して、風呂の追焚きと給湯の二つの機能を備えている。
【００２０】
このような風呂釜１０は、図１に示すように、合成樹脂により全体が略矩形状に形成された化粧パネルを有しており、その上面の正面側には、器具栓つまみ１１、出湯栓切り替えレバー１２、湯温調整つまみ１５、シャワー管１３、出湯管１４が取り付けられている。また、正面の下側には、能力切替えつまみ１６、ガス栓と接続されるガス入口１７、水抜き栓１８が取り付けられている。そして、正面の上側には、風呂釜の各電装品に電力を供給するための電池を収容する収容体（以下、「電池収容部」という）５０を封止する蓋体６０が取り付けられている。
【００２１】
器具栓つまみ１１は、点火をすると共に、燃料ガスの各配管への供給を適宜選択するためのものである。具体的には、図２に示すように、器具栓装置２０と接続されており、器具栓装置２０は磁力により吸着される金属で構成した電磁弁２３を備えている。この電磁弁２３は、スプリングを利用してガス入口１７と出口との境界を開閉するようになっている。そして、器具栓装置２０の動きを検知する検知手段としてのマイクロスイッチ２２が配置されており、このマイクロスイッチ２２は制御部３０に接続されている。
これにより、使用者が器具栓つまみ１１を押し込んで、電磁弁２３を下降させると上記境界が開き、ガス入口１７から導入された燃料ガスは、ガス出口からパイロットバーナ２５に供給される。そして、制御部３０は、マイクロスイッチ２２の動作に基づいて、点火装置（イグナイタ）２８に指示を与え、電極（点火プラグ）２７により燃料ガスに点火されることによって、パイロットバーナ２５が燃焼して口火が点く。
また、この器具栓つまみ１１は、追焚き機能と給湯機能のいずれかを選択するつまみにもなっており、器具栓装置２０は、ケース内の弁体２１により、燃料ガスを給湯用ガス管２９或いは風呂用ガス管２６のいずれに送るかを選択できるようになっている。
【００２２】
湯温調整つまみ１５は、給湯時の湯の温度を調節するためのものであり、図２に示すように、ダイヤフラムケース３２と接続され、給湯用熱交換器３４を通る管路３９の流水量と、給湯用熱交換器３４のバイパス管である管路３８の流水量を調整している。
ダイヤフラムケース３２は、ダイヤフラム３３により高圧側と低圧側に区分けされており、出湯栓が開かれた時には、低圧側が給湯用熱交換器３４内の圧損等の分だけ高圧側より圧力が下がる。これにより、出湯栓が開かれて給水管３５に通水があると、ダイヤフラム３３は上記圧力差に基づいて動く。この動きを受けて、水圧自動ガス弁３６の弁体は、内蔵スプリングの付勢力に抗して動き、燃料ガスをガス管２９に送り、燃料ガスが流れるようになっている。なお、ダイヤフラムケース３２の下端には水抜き栓１８が設けられている。
【００２３】
出湯栓切り替えレバー１２は、給湯機能を利用してシャワー管１３と出湯管１４のいずれかへの湯の供給を選択するためのものであり、ダイヤフラムケース３２を介して分岐された２つの管路３８，３９が合流した下流に設けられている。
能力切替えつまみ１６は、燃焼する給湯用バーナ４１の数を変更するためのものである。すなわち、給湯用バーナ４１は複数のバーナーで構成されており、ガスガバナ４３により、各バーナーへ供給する燃料ガスが制御されている。
【００２４】
なお、このような風呂釜１０には、種々の安全装置が設けられており、機器内の温度が異常に上昇した時のための過熱防止装置（温度ヒューズ）４４、機器内部のバーナーの炎が消えた時のためのフレームロッド４５、給湯用熱交換器３４の温度が異常に上昇した時のための給湯過熱防止装置（ハイリミットスイッチ）４６、給湯熱交換器内の水圧が異常に上昇した時のための過圧防止安全装置（過圧逃し弁）４７が設けられている。
【００２５】
以上のような点火装置２８などの風呂釜１０の追焚き及び給湯機能を発揮させるための機械器具類（上記種々の安全装置などの付随する機械器具類を含む）は、制御部３０と電気的に接続され、制御部３０は各電装品の情報に基づいて各機械器具類を制御している。
そして、制御部３０は、電池収容部５０内に収容された電池と電気的に接続されており、電池は制御部３０を介して各機械器具類に電力を供給するようになっている。なお、本実施形態の電池には、単１で１．５Ｖの複数本の乾電池が利用されている。
また、制御部３０は、図１の前方に張り出した庇部２４の上面に配置された表示部４９とも電気的に接続されており、この表示部４９には電池寿命に関する情報（電池交換マークなど）が表示される。これにより、使用者は表示部４９の情報に基づいて、電池収容部５０を封止する蓋体６０を開けて、電池を交換するようになっている。なお、庇部２４は、電池収容部５０に水が出来るだけかからないようにする役割を有し、このため、電池収容部５０は正面の上側であって、庇部２４の直下に配置されている。
【００２６】
次に、この電池収容部５０及びこれを封止するための蓋体６０について、詳細に説明する。
〔電池収容部（収容体）の概要〕
図３は、蓋体６０を開けて電池収容部５０を正面斜めから視認した概略斜視図、図４は蓋体６０の側面図である。
電池収容部５０は蓋体６０による開閉が可能な収容体であって、例えば合成樹脂により形成され、図３に示すように、上下に交換可能な乾電池が収容されるようになっている。
すなわち、電池収容部５０は、風呂釜正面の垂直な壁面ＦＲに開口した開口部５３を有し、蓋体６０を開けて、開口部５３から手を入れて電池が交換可能になっている。
なお、本発明において、開口部とは、蓋体との相対的関係における観念であって、壁面と同一面の穴だけを意味するものではなく、蓋を閉めた際に蓋体６０が電池収容部５０に入り込む領域及びその周辺を含む。
【００２７】
図３の開口部５３は正面視が円形状であり、その内壁５３ａには蓋体６０を取り付るための係止手段である溝部５７が形成されている。
また、内壁５３ａについては、開口部５３に取り付けた際の蓋体６０の厚み寸法（図４の摘み部６１の突出寸法を除くＤ１より少し小さい寸法）分だけ奥まった位置において、開口部５３の内壁全周が半径方向の内側に向けて突出した環状の枠部、乃至、内側に向けたフランジ部（以下、「枠部」という）５３ｂを有している。本実施形態の場合、開口部５３は、壁面ＦＲから電池の設置領域５０ａに向けて垂直に屈曲して内壁５３ａが形成され、この内壁５３ａが開口部５３の円形状の半径方向に向けて垂直に屈曲して環状の枠部５３ｂが形成されている。
【００２８】
そして、この枠部５３ｂの外部を向いた面には、シール部材５５が設けられている。シール部材５５は、蓋体６０の後述する内蓋６２が密着して、封止度合いを高めるための部材であり、例えば単発泡（ゴムパッキン）で形成されている。
本実施形態の場合、シール部材５５はリング状であり、後述する図７に示す弾性部材８０の付勢力により内蓋６２で押圧された際、水が浸入しないように潰される。具体的には、図７に示すように、枠部５３ｂは、全周に溝が形成されて環状の凹部８７を有し、この環状の凹部８７に、その開口面からはみ出すようしてシール部材５５が挿入されている。凹部８７は、シール部材５５を挿入し易いように、開口端縁を面取り加工（Ｃ面カット）してテーパー面８９とされている。
なお、シール部材５５は、枠部５３ｂではなく、内蓋６０側に設けられていてもよい。また、本発明の枠部５３ｂは、内蓋６０の形状に対応すれば、図示した形状に限られるものではなく、例えば、内壁５３ａから内側に傾斜するように突出しても構わない。
【００２９】
〔蓋体の概要〕
蓋体６０は、後述する弾性部材を除いて例えば合成樹脂により形成され、蓋を着脱し易くするための摘み部６１を除き、風呂釜正面の壁面ＦＲから突出しないように、開口部５３に埋め込まれるようになっている。そして、蓋体６０は、互いに対向する内蓋６２と外蓋６４を有している。以下、内蓋６２と外蓋６４を、図５ないし図８を中心に説明する。
図５（ａ）は外蓋６４の背面図（内蓋側の面）、図５（ｂ）は図５（ａ）のＢ−Ｂ断面図、図５（ｃ）は図５（ａ）のＥ方向矢視図である。また、図６（ａ）は内蓋６２の正面図（外蓋側の面）、図６（ｂ）は図６（ａ）のＣ−Ｃ断面図である。また、図７は、蓋体６０を電池収容部５０に取り付けようとする説明図であり、図１のＡ−Ａ線の位置に対応した概略断面となっている。また、図８は蓋体６０を電池収容部５０に取り付けた後の図であって、図１の概略Ａ−Ａ断面図である（一点鎖線で囲った図は後述する溝部５７及び係止部８２付近の拡大図）。なお、溝部５７及び係止部８２は図１のＡ−Ａ線では断面とならないが、理解の便宜のため、図７及び図８において、溝部５７及び係止部８２を断面として図示している。また、図９は図８のＦ−Ｆ部分の拡大図である。
【００３０】
〔内蓋の構成〕
内蓋６２は、電池収容部５０を実際に封止するための蓋であって、開口部５３にシール部材５５を介して密着するようになっている。
本実施形態の内蓋６２は、図６及び図３に示すように、開口部５３の形状に合わせて、正面視及び背面視が円形状とされており、開口部５３の直径よりも僅かに小さな直径Ｌ１を有し、電池収容部５０を封止した状態で、その周縁部が枠部５３ｂに設けられたシール部材５５に当接するようになっている。
具体的には、内蓋６２の背面（電池の設置領域５０ａ側の面）６２ａの周縁部には、全周に窪み部６６が形成され、窪み部６６は背面視においてリング状とされ、その中に凸部６９が全周にわたって形成されている（凸部６９は全体的に厚みを有するリング状となる）。そして、図８及び図９に示すように、環状のシール部材５５は、蓋体６０を取り付けた状態で、この凸部６９に押圧されて変形する。ここで、凸部６９は、幅Ｗ３がシール部材５５の幅Ｗ４に比べて小さく、シール部材５５の一部（本実施形態では幅Ｗ４方向の中央部）のみを押圧するようになっている。このため、内蓋６２で電池収容部を密封してその内側が負圧となっても、蓋体５０を外す際にその負圧状態を解除し易くして、蓋体５０の取り外しが容易となる。なお、製造時において凹部８７にシール部材５５を容易に挿入するための上述したテーパー面８９は、凸部６９に押圧されて幅方向に膨らんだシール部材５５の逃げ部ともなる。
また、図９に示すように、窪み部６６の深さＤ２と凸部６９の突出寸法とは同様であり、内蓋６２と枠状部５３ｂとを接触させた際、シール部材５５は、凹部８７からはみ出した部分５５ａ（図７参照）が窪み部６６に入るようになっている。
【００３１】
〔外蓋の構成〕
外蓋６４は、図５及び図１に示すように、電池収容部５０に取り付けられた状態における正面視および背面視が略円形状とされている。
そして、この外蓋６４の周端部７７は板状とされている。一方、図７、図８、図３に示すように、電池収容部５０の開口部５３の内壁５３ａには、外部に臨む段部５９が形成されている。そして、図８に示すように、段部５９に周端部７７の背面側（内蓋側）が当接した状態で、外蓋５４は、摘み部６１を除いて開口部５３に埋め込まれるようになっている。これにより、シャワー器具３７の水を勢いよく吹き付けられても、水が段部５９にあたって、それ以上奥に水圧がかかることを防止している。
なお、段部５９は、環状の枠部５３ｂと同様に、内壁５３ａの全周が内側に向けて突出して形成されているが、その突出幅は枠部５３ｂに比べて小さく、内蓋背面６２ａのシール部材５５への押圧を阻害するものではない。すなわち、外蓋６４は、内蓋６２に比べて、周端部７７の分だけ半径が大きな円形状とされている。
【００３２】
また、外蓋６４は、正面（外部側）に摘み部６１を有している。摘み部６１は、電池収容部５０から蓋体６０を摘み出すのではなく、主に、外蓋６４を回転させる役割を有し、本実施形態の場合、図１及び図４に示すように、電池収容部５０に蓋体６０が取り付けられた状態において、縦方向に山形に突出し、その突出した側面に凹部６１ａを有している。なお、裸の使用者が接触して衝突し難いように、摘み部６１は壁面ＦＲから極力突出しないことが好ましい。
【００３３】
〔内蓋及び外蓋の構成と、その連結構造等〕
このような内蓋６２と外蓋６４とは、互いに接近・離間する方向に移動可能なように連結され、かつ、上記接近・離間する方向と交差する回転方向について、相対的に回転自在な構成とされている。
先ず、内蓋６２は、図６及び図７に示すように、正面（外蓋側の面）６２ｂの周縁部に、外蓋６４側に延びると共に、中心ＯＰ１から所定の半径ｒ３を有する円弧上に沿って断続的に配列された複数の突起部６７を有している。この複数の突起部６７の夫々の先端には、鉤状部６７ａ（本実施形態の場合、外側に向けて曲がった鉤状）が設けられている。
一方、外蓋６４は、図５及び図７に示すように、背面（内蓋側の面）６４ａの周縁部に、内蓋６２側に延びると共に、中心ＯＰ２から所定の半径Ｒ３を有する円弧上に沿って形成された突起部６８を有している。なお、この外蓋６４側の突起部６８については、全周にわたって設けられ、全体が略円筒体状（背面視がリング状）に形成されている。また、この突起部６８の先端には、鉤状部６８ａ（本実施形態の場合、内側に向けて曲がった鉤状）が設けられている。
そして、図７に示すように、内蓋６２と外蓋６４とが連結された状態において、内蓋６２側の突起部６７及び鉤状部６７ａと、外蓋６４側の突起部６８及び鉤状部６８ａとは、互いに対応して配置されている。すなわち、突起部６７は突起部６８に比べて内側に配置される（半径Ｒ３＞半径ｒ３）と共に、互いを離間させるように移動させた場合、鉤状部６７ａと鉤状部６８ａとが係止されるようになっている。
【００３４】
このようにして、内蓋６２と外蓋６４とは、互いに接近離間する方向に移動可能であって、かつ、連結されている。また、突起部６７と突起部６８とは、中心から異なる半径を有する円弧上に形成され、相対的な回転（図のＲＥ方向の回転）を可能としている。そして、内蓋６２或いは外蓋６４の少なくともいずれか一方の突起部が全体的に円筒体状とされることで、相対的に回転したとしても、その連結が外れることはない。
なお、本実施形態では、突起部６７，６８は周縁部に配置されているが、互いに対応して配置されれば、これに限られるものではない。
【００３５】
また、内蓋６２と外蓋６４とは、図５〜図８に示すように、互いの方向に延びた壁部７０，７５を夫々に有しており、この壁部７０，７５は、相対的に半径方向に移動しようとした際に接触することで、互いの半径方向の移動を防止している。
具体的には、内蓋６２は、図６に示すように、正面６２ｂの突起部６７より内側であって、中心ＯＰ１から半径ｒ１を有する円弧上に沿って壁部７０が設けられ、壁部７０は全体が円筒状に形成されている。なお、図６（ａ）において、壁部７０に付した平行斜線は、理解の便宜のためであって断面ではない。そして、平行斜線と平行斜線との間には、円筒状体が切り欠かれたようになっており、後述する浸入水の排水通路としての落下路８９とされている。
一方、外蓋６４は、図５に示すように、背面６４ａの突起部６８より内側に、中心ＯＰ２から半径Ｒ１を有する円弧上に沿って、複数の壁部７５が設けられている。
そして、壁部７０と複数の壁部７５とは、外蓋６４が内蓋６２に対して相対的に回転して、当該回転方向ＲＥとは異なる方向に移動しようとした際、少なくとも２箇所以上の対向する位置で、壁部７０と壁部７５とが接触するように配置されている。
【００３６】
ここで、図７及び図８に示すように、内蓋６２と外蓋６４との間には、離間する方向（図のＸ方向）に付勢力を発揮する弾性部材８０が配置されている。
本実施形態の弾性部材８０は、断面が円形状の金属製コイルスプリングで形成されており、これにより、外蓋６４を図１のＲＥ方向に回転させる際、その回転に対する摩擦を小さくすることができる。
また、弾性部材８０は、内蓋６２と外蓋６４との間の中央領域に、両蓋に接合されずに配置され、内蓋６２及び外蓋６４の夫々に向って設けられた凸部７１，７２が、弾性部材８０の半径方向の余計な動きを規制している。
そして、弾性部材８０は、図７に示すように、内蓋６２と外蓋６４とが最も離れた状態においても、上記離間する方向（Ｘ方向）に付勢力を発揮し、これにより、鉤状部６７ａと鉤状部６８ａとが係止されるようになっている。
【００３７】
そして、弾性部材８０は、蓋体６０を電池収容部５０に取り付けた状態において、図８に示すように外蓋６４と内蓋６２とが接近する方向に圧縮されるため、内蓋６２を枠部５３ｂに押し付けて、シール部材５５を凸部６９で圧縮させ、これにより、収容体の封止度を高めることができる。
また、弾性部材８０は、蓋体６０を電池収容部５０から取り外す際には、外蓋６４と内蓋６２とが離間する方向に付勢力を発揮するため、外蓋６４を外部に向けて弾き出す動作をする。このため、蓋体６０を開ける際、摘み部６１が小さくても、蓋体６０を電池収容部５０から取り出し易くなる。
【００３８】
なお、図８に示すように、外蓋６４と内蓋６２との間は、水が侵入する空間が多い一方、上述のように、外蓋６４と内蓋６２との間には複数の突起部６７，６８、壁部７０，７５、凸部７１，７２が設けられている。このため、内蓋６２及び／又は外蓋６４は、その対向面に、浸入水を開口部の内壁５３ａに向けて落下させるための複数の落下路８９が設けられている。具体的に、落下路８９は、図５・図６に示すように、断続的に配置された複数の突起部６７同士の間、円筒状の壁部７０に形成された切り欠き（平行斜線間）、断続的に配置された複数の凸部７１，７２同士の間により形成されている。そして、図８のように蓋体６０を電池収容部５０に取り付けた状態において、外蓋６４と内蓋６２との間は、少なくとも上部空間と下部空間とが連通するように形成され、外蓋６４の周端と垂直面ＦＲとの隙間Ｓであって、上側の隙間Ｓ１と下側のＳ２とが、外蓋６４と内蓋６２との間を介して連通するようになっている。
【００３９】
〔蓋体と電池収容部（収容体）との取付け構造など〕
次に、蓋体６０を電池収容部５０に取り付ける構造を説明する。
図３乃至図８に示すように、外蓋６４又は電池収容部５０のいずれか一方には、外蓋６４の回転方向（図３のＲＥ方向）に平行な複数の溝部５７が設けられている。
一方、外蓋６４又は電池収容部５０のいずれか他方には、内蓋６２を開口部５３の枠部５３ｂに当て、外蓋６４を内蓋側に接近させた状態で、ＲＥ方向に回転させることで、溝部５７に挿入して係止されるようにした複数の係止部８２が設けられている。
係止部８２は、図の場合、外蓋６４の略円筒体状の突起部６８の外側側面（外蓋の周側面）に突出して形成された凸部（以下、「突出部」という）であり、図５に示すように４箇所に形成されている。なお、本発明の係止部は、外蓋６４を開口部５３に押し込んでからＲＥ方向に回転させ、これにより溝部５７に挿入及び係止できる形状でれば、図のような凸部形状に限られるものではない。例えば、Ｕ字状を構成する一対の壁部に挟まれた溝部に対して、同じくＵ字状を構成する一対の壁部の内いずれか一方の壁部が挿入及び係止される構成であってもよい。
【００４０】
溝部５７は、図８に示すように、内蓋６２と外蓋６４とが接近離間する方向（図のＸ方向）に対して略垂直な内壁５７ａを有し、図３の場合、開口部５３の内壁５３ａに４箇所形成されている（２箇所は図示せず）。具体的には、水が勢いよく奥に当たることを防止する上記段部５９に複数の切り欠き部５９ａが形成され、溝部５７はこの切り欠き部５９ａと繋がっている。
すなわち、切り欠き部５９ａは、図４の外蓋６４の突出部８２を溝部５７まで導くガイド溝であり、外蓋６４の突出部８２の位置に対応して４箇所形成され、かつ、突出部８２の長さＬ２よりも若干大きな長さＬ３を有する。
これにより、使用者が外蓋６４を電池収容部５０に固定させる際、突出部８２を切り欠き部５９ａを通過させた後、外蓋６４を図３のＲＥ方向（つまり、内蓋と外蓋とが接近離間する方向と交差する方向）のうち、図３では時計回りに回転させれば、溝部５７はその回転方向ＲＥと平行であるため、突出部８２を容易に溝部５７に挿入できる。
なお、この際の外蓋６４の回転は、少なくとも１回転することはなく、好ましくは、片手を楽にひねることができる１／４回転以下であって、本実施形態では切り込み部５９ａを通過した後、１０°程度回転させて、突出部８２の図８のＸ方向（内蓋と外蓋との接近離間方向）の側面全体を溝部５７に係止させるようになっている。
そして、逆に、外蓋６４を外す場合は、突出部８２を図３の切り欠き部５９ａの位置までくるように外蓋６４をＲＥ方向のうち反時計回りに回転させれば、弾性部材８０の付勢力で突出部８２は切り欠き部５９ａを通り抜け、埋め込まれていた外蓋６４は、開口部５３からポンと飛び出すようにして収容体から外れる。
【００４１】
さらに、溝部５７は、図８に示すように、その幅Ｗ１が、これに対応する突出部８２の幅Ｗ２に比べて大きく形成されている。このため、突出部８２を図８の点線のように溝部５７の内壁に接触させないように（摩擦抵抗が生じないように）して、外蓋６４を容易に回転させることができる。そして、溝部５７の幅Ｗ１が突出部８２の幅Ｗ２より大きくても、外蓋６４から手を放せば、弾性部材８０の付勢力により、図８のように突出部８２は溝部５７の内壁５７ａに押し付けられて係止されるようになっている。
【００４２】
そして、このように外蓋６４を開口部５３に取付けた状態において、外蓋６４の露出面は図１に示すように円形状とされ、この円形状の直径Ｌ４（図５参照）が、図８に示すように、シャワー器具（シャワーヘッド）３７の散水部の最大径Ｌ５に比べて大きくなっている。この点、シャワーの水は、外蓋６４の周端と垂直面ＦＲとの隙間Ｓに、水平方向Ｈから侵入した場合、勢いよく侵入することになる。しかし、外蓋６４の露出面の方が大きいため、仮に図８の上側の隙間Ｓ１に水が水平方向Ｈから浸入したとしても、図８の下側の隙間Ｓ２に水が水平方向Ｈから浸入することはあり得ない。したがって、シャワーの水が勢いよく浸入して、電池収容部５０内の水圧が上がることを有効に防止できる。
しかも、上述したように、水が侵入しても、その水は図６に示す落下路８９を通って、図３の開口部５３の内壁５３ａに落下する。そして、図３の内壁５３ａに形成された溝部５７は、内側に浸入してきた水が溜まらないように侵入水を導く排水路８５を有している。具体的には、開口部５３は、垂直な壁面ＦＲに開口しているため、排水路８５は下側の溝部５７に設けられ、溝部５７から壁面ＦＲに向って段部５９を切り欠くようにして形成されている。このため、例えば図８の上側の隙間Ｓ１に水が浸入したとしても、図８の下側の隙間Ｓ２から侵入水を排出し、シール部材５５に高い水圧がかかって、水が電池の設置領域５０ａに侵入することを確実に防止できる。なお、図３の開口部５３及びその内壁５３ａは正面視が円形であり、内壁５３ａの上半分についた水は落下するため、上半分に配置された溝部５７には排水路８５は形成されていない。
【００４３】
ところで、この排水路８５には浸入水を排水させる機能だけではなく、突出部８２を溝部５７に確実に挿入したことを使用者に報知するためのクリック感を与える機能も有する。すなわち、図５（ｃ）に示すように、下側にある突出部８２は、略四角柱体から僅かな突起８２ａが出て、図５（ｃ）ではＬ字状のような形態になっている。そして、この突起８２ａは、下側にある突出部８２を溝部５７に完全に挿入すると、溝部５７につながった切り欠き状の排水路８５に軽く引っかかるようになっている。
【００４４】
本発明の第１の実施形態は以上のように構成され、外蓋６４を弾性部材８０の付勢力に抗しながら内蓋６４に接近させて電池収容部５０に取り付け、弾性部材８０の付勢力により内蓋６２を開口部５３に押し付け、封止度を高めることができる。
そして、外蓋６４は内蓋６２と相対的に回転自在であり、外蓋６４と電池収容部５０とを係止するための溝部５７は外蓋６４の回転方向ＲＥに平行である。したがって、外蓋６４を回転させる際、回転方向ＲＥに関する抵抗は弾性部材８０との摩擦だけであり、外蓋６４を容易に回転させて溝部５７と突出部８２とを係止できる。
また、突出部８２を溝部５７に挿入させる場合と反対側に外蓋６４を回転させれば、突出部８２と溝部５７との係止状態は解除され、使用者は弾性部材８０の付勢力で蓋体６０を容易に取り外すことができる。
なお、蓋体６０を電池収容部５０に固定する際、使用者はシール部材５５の弾性力や、弾性部材８０の付勢力に抗して、外蓋６４を内蓋６２側に押す必要があるが、この押す動作は、例えばシール部材５５の弾性力に抗しながらねじ込むような動作に比べて楽である。したがって、非力な者であっても、容易に蓋の開け閉めができる。
【００４５】
図１０は、本発明の第２の実施形態に係る収容体１００とその蓋体１１０の概略縦断面図である。
図１０において、図１ないし図９の収容体の例である電池収容部５０及びその蓋体６０と同一の符号を付した箇所は同様の構成であるから、重複する説明は省略し、以下、相違点を中心に説明する。
本第２の実施形態の収容体１００は、食品を保存するための食品保存用容器であり、食品を保存するのに適した構成とされている。
【００４６】
すなわち、収容体１００は、少なくとも開口部が円筒状であって、その外側の側面上端部１００ａに、外蓋６４の回転方向と平行である溝部５７が形成されている。
そして、蓋体１１０のうち外蓋６４は、上から見た平面視が略円形状であり、収容体１００の上端部１００ａを覆うように被せられ、上端部１００ａを覆う外周部１１２の内面に、半径方向の内側に向って突出した突出部８２が設けられている。この突出部８２が溝部５７と係止するようになっている。
このように、第２の実施形態では、蓋体１１０を収容体１００に被せて、収容体１００の外部に露出した側面側で、蓋体１１０と収容体１００とを係止させる構造とすることで、収容したジャムなどの食品が、外蓋６４と内蓋６２との間に入り難くしている。
なお、収容体１００の開口端部には、溝部５７につなげるように切り欠くことで、突出部８２を溝部５７に導くためのガイド１０９が形成されている。
また、外蓋６４は、片手で外周部１１２を把持できる程度の大きさであり、外周部１１２にローレット状突起を設けて、蓋を回転し易くさせている。
【００４７】
そして、内蓋６２及び外蓋６４に設けられた突起部１１３，１１４は、図７の突起部６７，６８と同様の機能を有するが、全体的に円筒形状であって、第１の実施形態のような落下路８９が形成されていない点で異なる。また、収容体１００側にも第１の実施形態のような排水路８５は形成されていない。
すなわち、第２の実施形態では、水が例えば上から容器内に入らないように蓋を被せる構成とし、少なくともまとまった水が蓋内部に浸入しないことを前提に構成されている。これに対して、第１の実施形態では、図８に示すように、裸の使用者が接触することに鑑みて、蓋体６０の表面と壁面ＦＲとが同一面になるようにし、このため壁面ＦＲとの間に隙間Ｓが生じるようになり、この隙間Ｓから水が浸入することを前提に、様々な対策を講じている。
【００４８】
そして、第２の実施形態の場合、シール部材１０８は、収容体１００側ではなく内蓋６２に設けられている。このシール部材１０８は、内蓋６２に液状パッキン剤を塗布した後、乾燥硬化させて形成されている。このようにして、収容体１００を洗浄する際にシール部材５５に水が含有することを防止している。
また、第２の実施形態の場合、弾性部材１０５は、第１の実施形態と同様に内蓋６２と外蓋６４とが離間する方向に付勢力を働かせているが、樹脂製の内蓋６２或いは外蓋６４のいずれか一方と一体成型された板バネ状とされている。本実施形態の板バネ状の弾性部材１０５は、内蓋６２と一体成型され、外蓋６４とは所定の面積からなる一部分１０７でのみ接触（接続はされていない）している。これにより、外蓋６４を回転させる際、外蓋６４と弾性部材１０５との摩擦を小さくしている。
【００４９】
図１１は、本発明の第２の実施形態の変形例に係る収容体１２０とその蓋体１３０の概略縦断面図である。
図１１において、図１０の収容体１００及びその蓋体１１０と同一の符号を付した箇所は同様の構成であるから、重複する説明は省略し、以下、相違点を中心に説明する。
この変形例に係る収容体１２０は、薬剤を保存するための所謂薬瓶であり、薬を保存するに適した構成とされている。
【００５０】
先ず、収容体１２０は所定の厚みを有するガラスで形成されている。
また、内蓋６２は、収容体１２０の内部空間Ｓ１側に、例えば通気性のよい袋にシリカゲルを充填してなる乾燥剤１２４を有している。具体的には、乾燥剤１２４が内部空間Ｓ１に落下しないように、内蓋６２には乾燥剤１２４を支持する板状部材１３２が形成され、この板状部材１３２が複数の貫通孔１３２ａを有することで、乾燥剤１２４を収容する空間と内部空間Ｓ１とを連通させている。
【００５１】
また、本変形例の弾性部材１２６は、樹脂製の外蓋６４と一体成型された板バネ状の第１及び第２のバネ１２６ａ，１２６ｂで構成され、第１のバネ１２６ａと第２のバネ１２６ｂとは、中心ＯＰ３を中心に対称に配置されている。これにより、バランスよく、内蓋６２と外蓋６４とが接近離間する方向に付勢力が発揮できる。
なお、本変形例の場合、溝部５７は外蓋６４に、突出部８２は収容体１２０に、それぞれ設けられており、また、突出部８２を溝部５７まで導くための切り欠きからなるガイド１０９は、外蓋６４に形成されている。
【００５２】
なお、上記各実施形態では、収容体の例として風呂釜の電池収容部、食品保存用容器、薬瓶を説明したが、本発明は、封止が必要な収容体であればこれらに限られるものではなく、例えばパソコンの基盤収容部、時計の電池収容部などであってもよい。
また、突出部８２に僅かな突起８２ａを設ける場合には、対向する突出部８２にも設けることが好ましく、少なくとも１対以上（本願は１対）あることが好ましい。
また、切り欠き状の排水路８５は、排水路の機能と僅かな突起８２ａが軽く引っかかる係合機能とを兼ねるようにしたが、僅かな突起８２ａを突出部８２の例えば中央部分に設け、開口部内壁５３ａに突起８２ａが軽く引っかかる専用の係合部を設けても構わない。
また、僅かな突起８２ａを設ける場合には、段落００４１で記載した溝部５７の幅Ｗ１に対応する突出部８２の幅Ｗ２は、突起８２ａを加味した幅Ｗ２とする（溝部５７の内壁に接触しないように、突起８２ａを含む突出部８２を溝部５７に挿入できる構成とする）。
【符号の説明】
【００５３】
５０・・・電池収容部（収容体）、５３・・・開口部、５７・・・溝部、６２・・・内蓋、６４・・・外蓋、８０・・・弾性部材、８２・・・係止部
【図１】
0005734597.tif 000002
【図２】
0005734597.tif 000003
【図３】
0005734597.tif 000004
【図４】
0005734597.tif 000005
【図５】
0005734597.tif 000006
【図６】
0005734597.tif 000007
【図７】
0005734597.tif 000008
【図８】
0005734597.tif 000009
【図９】
0005734597.tif 000010
【図１０】
0005734597.tif 000011
【図１１】
0005734597.tif 000012
【図１２】
0005734597.tif 000013
【図１３】
0005734597.tif 000014